(57)【要約】【課題】操作性を向上することができ、しかも部品点数を削減することのできるサンルーフ装置を提供する。【解決手段】車両の屋根（１２）の開口（１３）を開閉するスライドパネル（１１）を開閉駆動する駆動手段（モータ１）と、スライドパネルの内側に摺動自在に設けられたサンシェード（１４）を開閉駆動する駆動手段（モータ２）と、該駆動手段の操作手段とを有するサンルーフ装置において、スライドパネル用開スイッチ（３）及び閉スイッチ（４）と、サンシェード用開スイッチ（５）とを設け、スライドパネルの全閉時には、サンシェード用開スイッチの操作でサンシェードが独立して開き、且つスライドパネル用閉スイッチの操作でサンシェードが独立し閉じるようにすると共に、スライドパネル用開スイッチの操作でスライドパネルとサンシェードとが共に開くようにし、スライドパネルの開時には、サンシェードのみを独立して閉じることができないようにした。【選択図】      図１
2004314908.tif 000002
【特許請求の範囲】
【請求項１】
車両の屋根の開口を開閉するスライドパネルと、該スライドパネルを開閉駆動する駆動手段と、前記スライドパネルの内側に摺動自在に設けられたサンシェードと、該サンシェードを開閉駆動する駆動手段と、該駆動手段の操作手段とを有するサンルーフ装置であって、
前記操作手段は、スライドパネル用開スイッチ及び閉スイッチと、サンシェード用開スイッチとからなり、
前記スライドパネルの全閉時には、前記サンシェード用開スイッチの操作で前記サンシェードが独立して開き、且つ前記スライドパネル用閉スイッチの操作で前記サンシェードが独立し閉じるようにすると共に、前記スライドパネル用開スイッチの操作で前記スライドパネルと前記サンシェードとが共に開くようにし、
前記スライドパネルの開時には、前記サンシェードのみを独立して閉じることができないようにする機能を制御回路に具備させたことを特徴とするサンルーフ装置。
【請求項２】
前記サンシェードの開放速度を前記スライドパネルの開放速度よりも高く設定したことを特徴とする請求項１に記載のサンルーフ装置。
【発明の詳細な説明】
【０００１】
【発明の属する技術分野】
本発明は、サンルーフ装置に関し、特に車両の屋根の開口を開閉するスライドパネルと、スライドパネルの内側に摺動自在に設けられたサンシェードとを個々に開閉駆動する駆動手段を備えたサンルーフ装置に関するものである。
【０００２】
【従来の技術】
自動車のルーフに設けた開口にスライドパネルを開閉自在に設けると共に、スライドパネルの内側に開閉自在なサンシェードを設け、且つスライドパネルとサンシェードとを共に電動駆動するように構成したサンルーフ装置が知られている（例えば特許第３３３９６９５号公報を参照されたい）。
【０００３】
【特許文献１】
特許第３３３９６９５号公報
【０００４】
【発明が解決しようとする課題】
しかるに、上記の刊行物に提案されている従来技術は、スライドパネルとサンシェードとのそれぞれに設けた開閉モータを個々に独立して操作するので、スライドパネル並びにサンシェードの開閉状態を思いのままに設定することができる反面、２組の開閉スイッチを使い分けねばならないので操作が煩雑になる上、部品点数や組み付け工数が増加するので製造コストの増大に繋がるという不都合がある。
【０００５】
本発明は、このような従来技術の問題点を解消すべく案出されたものであり、その主な目的は、操作性を向上することができ、しかも部品点数を削減することのできるサンルーフ装置を提供することにある。
【０００６】
【課題を解決するための手段】
このような目的を果たすために、本発明においては、車両の屋根（１２）の開口（１３）を開閉するスライドパネル（１１）と、該スライドパネルを開閉駆動する駆動手段（モータ１）と、前記スライドパネルの内側に摺動自在に設けられたサンシェード（１４）と、該サンシェードを開閉駆動する駆動手段（モータ２）と、該駆動手段の操作手段とを有するサンルーフ装置において、前記操作手段は、スライドパネル用開スイッチ（３）及び閉スイッチ（４）と、サンシェード用開スイッチ（５）とからなり、スライドパネルの全閉時には、サンシェード用開スイッチの操作でサンシェードが独立して開き、且つスライドパネル用閉スイッチの操作でサンシェードが独立し閉じるようにすると共に、スライドパネル用開スイッチの操作でスライドパネルとサンシェードとが共に開くようにし、スライドパネルの開時には、サンシェードのみを独立して閉じることができないようにする機能を制御回路（６）に具備させたことを特徴とするものとした（請求項１）。
【０００７】
このようにすれば、サンシェード専用の閉スイッチが不要となるので、部品点数が削減され、スライドパネルを開操作するとサンシェードが連動して開くので、操作性が向上する。
【０００８】
特に、サンシェードの開放速度をスライドパネルの開放速度よりも高く設定するもの（請求項２）とすれば、必ずサンシェードの方が先に開くので、早期に採光できる上、サンシェードがスライドパネルで覆われた状態が維持される。
【０００９】
【発明の実施の形態】
以下に添付の図面を参照して本発明について詳細に説明する。
【００１０】
図１は、本発明に基づくサンルーフ装置の駆動系の概略構成を示している。このサンルーフ装置は、透光性ガラスからなるスライドパネルの開閉駆動モータ１と、サンシェードの開閉駆動モータ２と、スライドパネルの開操作スイッチ３並びに閉操作スイッチ４と、サンシェードの開操作スイッチ５と、これらの制御回路６とを備えている。
【００１１】
このサンルーフ装置は、ラック／ピニオン機構を応用して電動モータの回転力をボーデンケーブルの軸力に変換し、スライドパネル並びにサンシェードを開閉駆動する駆動機構を備えているが、この駆動機構自体は周知の技術をそのまま適用し得るので、ここではその詳細な説明は省略する。
【００１２】
以下にスライドパネル並びにサンシェードの状態とその時のスイッチの機能との対応関係について説明する。
【００１３】
図２に示すように、スライドパネル１１がルーフ１２の開口１３を全閉し、かつサンシェード１４がルーフライニング１５の開口１６を全閉した状態にあっては、スライドパネル用開スイッチ３並びにサンシェード用開スイッチ５の機能が共に有効となり、スライドパネル用閉スイッチ４の機能はスライドパネル１１については無効となる。
【００１４】
この状態でサンシェード用開スイッチ５を操作すると、サンシェード１４のみが独立して開き、サンシェード１４が開いた状態では、スライドパネル用閉スイッチ４がサンシェード１４を閉じる機能を担う。他方、スライドパネル用開スイッチ３を操作すると、スライドパネル１１並びにサンシェード１４が連動して開作動する。この際、開放速度はサンシェード１４の方がより高い値に設定とされているので、必ずサンシェード１４の方が先に開き、早期に採光できる上にサンシェード１４がスライドパネル１１で覆われた状態が維持されるため、サンシェード１４がスライドパネル１１によって保護される。
【００１５】
そしてスライドパネル１１が少しでも開くと、サンシェード１４を独立して閉じることはできなくなり、スライドパネル１１が全閉して初めてスライドパネル用閉スイッチ４によるサンシェード１４の閉じ操作が可能となる。従って、スライドパネル１１の挟み込み防止機能は従来のものをそのまま適用することができる。
【００１６】
サンシェード１４が閉じていてスライドパネル１１が開いていることを認識できないと、降雨時にサンシェード１４が濡れてしまう上に盗難を防げなくなってしまうが、本発明によれば、スライドパネル１１が閉じていないとサンシェード１４を単独で閉じることができず、またスライドパネル１１が閉じた状態ではサンシェード１４を単独で開閉操作することができるが、スライドパネル１１を開操作するとそれに連動してサンシェード１４も開くようになっているので、このような不都合を生ずることがない。
【００１７】
図３に示すスライドパネル１１が全閉でサンシェード１４が半開の状態にあっては、スライドパネル用開スイッチ３並びにサンシェード用開スイッチ５が共に有効となり、スライドパネル用閉スイッチ４はサンシェード１４の閉操作にのみ有効となる。この状態では、サンシェード用開スイッチ５及びスライドパネル用閉スイッチ４の操作でサンシェード１４を単独で自由に開閉操作することができる。そしてスライドパネル用開スイッチ３を操作すると、上記と同様に、スライドパネル１１並びにサンシェード１４が連動して開作動し、且つスライドパネル１１が全閉して初めてサンシェード１４の閉じ操作が可能となる。
【００１８】
図４に示すスライドパネル１１並びにサンシェード１４が共に半開の状態にあっては、スライドパネル用開スイッチ３並びにサンシェード用開スイッチ５が共に有効となり、スライドパネル用閉スイッチ４はスライドパネル１１の閉操作にのみ有効となる。サンシェード用開スイッチ５でサンシェード１４のみを独立して開操作することができ、スライドパネル用開スイッチ３の操作によってスライドパネル１１並びにサンシェード１４が連動して開作動し、かつスライドパネル１１が全閉して初めてサンシェード１４の閉じ操作が可能となることは上記と同様である。
【００１９】
図５に示すスライドパネル１１並びにサンシェード１４が共に全開の状態にあっては、スライドパネル用開スイッチ３並びにサンシェード用開スイッチ５は共に無効となり、スライドパネル用閉スイッチ４はスライドパネル１１の閉操作にのみ有効となる。スライドパネル１１が全閉して初めてサンシェード１４の閉じ操作が可能となることは上記と同様である。
【００２０】
以上の制御条件により、スライドパネル１１が全閉した状態ではサンシェード１４を自由に開閉することができ、スライドパネル１１を開くとサンシェード１４もスライドパネル１１と共に開き、スライドパネル１１を開いた状態ではサンシェード１４を閉じることができず、スライドパネル１１を閉じると初めてサンシェード１４を閉じることができることとなる。
【００２１】
【発明の効果】
以上詳述した通り本発明によれば、サンシェード専用の閉スイッチが不要となり、部品点数が削減されるので、製造コストの低減に効果的である。またスライドパネルを開操作するとサンシェードがそれに連動して開き、スライドパネルが開いているとサンシェードを閉じることができなくなるので、操作性の向上及びフェールセーフ性の向上に大きく寄与することができる。特に、サンシェードの開放速度をスライドパネルの開放速度よりも高い値に設定すれば、必ずサンシェードの方が先に開くので、早期に採光できる上、サンシェードがスライドパネルで覆われた状態が維持されるので、サンシェードの保護作用を高める上にも効果的である。
【図面の簡単な説明】
【図１】サンルーフ装置の駆動系の概略構成図
【図２】スライドパネル並びにサンシェードが共に全閉の状態を示す模式的縦断面図
【図３】スライドパネルが全閉でサンシェードが半開の状態を示す模式的縦断面図
【図４】スライドパネル並びにサンシェードが共に半開の状態を示す模式的縦断面図
【図５】スライドパネル並びにサンシェードが共に全開の状態を示す模式的縦断面図
【符号の説明】
１  スライドパネル駆動モータ
２  サンシェード駆動モータ
３  スライドパネル開操作スイッチ
４  スライドパネル閉操作スイッチ
５  サンシェード開操作スイッチ
６  制御回路
１１  スライドパネル
１４  サンシェード
【図１】
2004314908.tif 000003
【図２】
2004314908.tif 000004
【図３】
2004314908.tif 000005
【図４】
2004314908.tif 000006
【図５】
2004314908.tif 000007